(57)【特許請求の範囲】
【請求項１】
無線通信システムにおける端末側の装置であって、
サーチ待ちのターゲット周波数範囲に対応する同期信号系列を採用してターゲットセルをサーチするように配置されるサーチ手段と、
前記装置が前記ターゲットセルに同期するように、前記サーチ手段に検出された同期信号に基づいて同期を行うように配置される同期手段と、
同期信号系列集合の真部分集合である第１の部分集合の使用によって、前記装置により第１の周波数範囲で受信された参照信号の干渉が過大になったかどうかを検出するように配置される検出手段と、
前記干渉が過大になったことが検出された場合に、検出結果を前記ターゲットセルの基地局に通知するように配置される通知手段とを含み、
前記ターゲット周波数範囲が前記第１の周波数範囲に属する場合に、前記サーチ手段は、前記第１の部分集合における同期信号系列を採用して前記ターゲットセルをサーチし、
前記同期信号系列集合は、前記第１の周波数範囲のセルサーチに用いられる複数の真部分集合を含み、前記サーチ手段は、前記ターゲットセルの基地局が、前記干渉が過大になった通知に応答して、前記複数の真部分集合から再選択された、前記第１の部分集合とは異なる第２の部分集合の指示、及び前記ターゲットセルの基地局から再送信された同期信号を検出し、
前記サーチ手段は、前記指示に応じて、前記第２の部分集合を使用して前記再送信された同期信号を復号する端末側の装置。
【請求項２】
前記第１の周波数範囲は前記無線通信システムの免許不要帯域範囲であり、前記ターゲットセルは免許不要スペクトルアクセスセルである請求項１に記載の端末側の装置。
【請求項３】
前記同期信号系列集合は、前記装置が免許帯域でのキャリアにより通信する際に使用される同期信号系列集合である請求項２に記載の端末側の装置。
【請求項４】
前記同期信号系列はセカンダリ同期信号系列であり、前記サーチ手段は、前記ターゲット周波数範囲に対応するセカンダリ同期信号系列を採用して前記ターゲットセルのセカンダリ同期信号を復号するように配置される請求項１〜３のいずれか一項に記載の端末側の装置。
【請求項５】
前記端末側の装置はユーザー機器であり、免許帯域での第１のセルにより、前記ターゲットセルをサーチするコマンド、及び前記第１の部分集合の指示情報を取得するように配置される通信インタフェースをさらに含む請求項１〜４のいずれか一項に記載の端末側の装置。
【請求項６】
前記通信インタフェースは、前記第１のセルにより、前記コマンドと前記指示情報とを含むシグナリングを受信する請求項５に記載の端末側の装置。
【請求項７】
前記端末側の装置はユーザー機器であり、前記装置は、前記装置が前記ターゲットセルにアクセス後に、前記ターゲットセルにより、更新された同期信号系列に関する指示を取得するように配置される通信インタフェースをさらに含む請求項１〜４のいずれか一項に記載の端末側の装置。
【請求項８】
前記装置がロング・ターム・エボリューションによる支援での免許不要スペクトルアクセスを実行する場合に、前記サーチ手段は、まず、前記装置が先に滞留したセルのセカンダリ同期信号を前記同期信号系列として使用してサーチを行う請求項１〜７のいずれか一項に記載の端末側の装置。
【請求項９】
前記装置がセル切り替えを行う必要がある場合に、前記サーチ手段は、基地局からの無線リソース制御構成情報に応じて、前記第１の部分集合に関する指示を取得する請求項１〜７のいずれか一項に記載の端末側の装置。
【請求項１０】
前記同期信号系列集合は、前記第１の周波数範囲のセルサーチに用いられる複数の真部分集合を含み、前記第１の部分集合の番号は、前記無線リソース制御構成情報に含まれる請求項９に記載の端末側の装置。
【請求項１１】
前記第１の部分集合における全ての系列を使用しても前記ターゲットセルがサーチできない場合に、前記サーチ手段は、前記第１の周波数範囲のセルサーチに用いられる複数の真部分集合の一つであるとともに前記第１の部分集合とは異なる第３の部分集合における系列を使用して前記サーチを実行する請求項１〜１０のいずれか一項に記載の端末側の装置。
【請求項１２】
端末側の装置により使用される無線通信方法であって、
サーチ待ちのターゲット周波数範囲に対応する同期信号系列を採用してターゲットセルをサーチし、
前記装置が前記ターゲットセルに同期するように、サーチされた同期信号に基づいて同期を行い、
同期信号系列集合の真部分集合である第１の部分集合の使用によって、前記装置により第１の周波数範囲で受信された参照信号の干渉が過大になったかどうかを検出し、
前記干渉が過大になったことが検出された場合に、検出結果を前記ターゲットセルの基地局に通知することを含み、
前記ターゲット周波数範囲が前記第１の周波数範囲に属する場合に、前記第１の部分集合における同期信号系列を採用して前記ターゲットセルをサーチし、
前記同期信号系列集合は、前記第１の周波数範囲のセルサーチに用いられる複数の真部分集合を含み、前記ターゲットセルの基地局が、前記干渉が過大になった通知に応答して、前記複数の真部分集合から再選択された、前記第１の部分集合とは異なる第２の部分集合の指示、及び前記ターゲットセルの基地局から再送信された同期信号を検出し、
前記指示に応じて、前記第２の部分集合を使用して前記再送信された同期信号を復号する無線通信方法。
【請求項１３】
無線通信システムにおける基地局側の装置であって、
ターゲットセルの物理層セル標識グループを特定するように配置され、前記物理層セル標識グループが前記ターゲットセルの周波数範囲に関する標識グループ特定手段と、
前記物理層セル標識グループに基づいて、前記ターゲットセルのセカンダリ同期信号用のセカンダリ同期信号系列を生成するように配置されるセカンダリ同期信号系列生成手段とを含み、
前記ターゲットセルの周波数範囲が第１の周波数範囲に属する場合に、前記物理層セル標識グループは、物理層セル標識グループ集合からの第１の部分集合であり、前記第１の部分集合は物理層セル標識グループ集合における真部分集合であり、
端末側の装置が同期信号系列集合の真部分集合である第１の部分集合の使用によって、第１の周波数範囲で受信された参照信号の干渉が過大になったことを検出し、且つ、当該干渉が過大になったことを示す検出結果を通知した場合に、当該検出結果の通知を受信する通信手段をさらに含み、
前記標識グループ特定手段は、物理層セル標識グループ集合の真部分集合であって、前記第１の部分集合とは異なる第２の部分集合を物理層セル標識グループに再特定し、
前記セカンダリ同期信号系列生成手段は、前記第２の部分集合に基づいてセカンダリ同期信号系列を再生成し、
前記通信手段は、前記第２の部分集合の指示情報を前記端末側の装置に通知する基地局側の装置。
【請求項１４】
前記第１の周波数範囲は前記無線通信システムの免許不要帯域範囲であり、前記ターゲットセルは免許不要スペクトルアクセスセルである請求項１３に記載の基地局側の装置。
【請求項１５】
前記基地局側の装置はｅＮＢであり、前記ターゲットセルに対応する免許不要帯域上で前記セカンダリ同期信号を送信するように配置される通信手段をさらに含む請求項１４に記載の基地局側の装置。
【請求項１６】
前記基地局側の装置は、前記ターゲットセルの隣接セルの物理層セル標識グループ部分集合を取得するとともに、本セル端末側装置に対して前記隣接セルに係る無線リソース管理を行う場合に、無線リソース制御シグナリングを生成して隣接セル標識グループ部分集合を前記端末側装置に通知する請求項１３〜１５のいずれか一項に記載の基地局側の装置。
【請求項１７】
第１のキャリア上で基地局と通信可能な無線端末装置であって、
前記第１のキャリアと異なる第２のキャリア上で基地局から送信された同期信号を受信するように配置される通信手段と、
前記同期信号におけるセカンダリ同期信号と、セカンダリ同期信号系列集合の真部分集合である第１の部分集合における系列とをマッチングすることで前記セカンダリ同期信号を特定するように配置される同期手段とを含み、
前記第１の部分集合の使用によって、前記無線端末装置により第１の周波数範囲で受信された参照信号の干渉が過大になったことが検出された場合に、検出結果をターゲットセルの基地局に通知し、
同期信号系列集合は、前記第１の周波数範囲のセルサーチに用いられる複数の真部分集合を含み、前記ターゲットセルの基地局が、前記干渉が過大になった通知に応答して、前記複数の真部分集合から再選択された、前記第１の部分集合とは異なる第２の部分集合の指示、及び前記ターゲットセルの基地局から再送信された同期信号を検出し、
前記指示に応じて、前記第２の部分集合を使用して前記再送信された同期信号を復号する無線端末装置。
【請求項１８】
第１のキャリア上で無線通信端末と通信可能な無線通信システムにおける基地局であって、
前記第１のキャリアと異なる第２のキャリア上で、セカンダリ同期信号を含む同期信号を送信するように配置される通信手段を含み、
前記セカンダリ同期信号は、セカンダリ同期信号系列集合の第１の部分集合から選択するものであり、前記第１の部分集合はセカンダリ同期信号系列集合の真部分集合であり、
無線端末装置が同期信号系列集合の真部分集合である第１の部分集合の使用によって、第１の周波数範囲で受信された参照信号の干渉が過大になったことを検出し、且つ、当該干渉が過大になったことを示す検出結果を通知した場合に、当該検出結果の通知を受信し、
物理層セル標識グループ集合の真部分集合であって、前記第１の部分集合とは異なる第２の部分集合を物理層セル標識グループに再特定し、前記第２の部分集合に基づいてセカンダリ同期信号系列を再生成し、前記第２の部分集合の指示情報を前記無線端末装置に通知する無線通信システムにおける基地局。
【発明の詳細な説明】
【技術分野】
【０００１】
本開示は、一般に、無線通信分野に関する。特に、無線通信システムにおける端末側の装置、端末装置、基地局側の装置、基地局、及びそれらに使用される無線通信方法に関する。
【背景技術】
【０００２】
ユーザーの高速データ伝送に対するニーズが日々高まり、ＬＴＥ（Ｌｏｎｇ  Ｔｉｍｅ  Ｅｖｏｌｕｔｉｏｎ）は、最も競争力を有する無線伝送技術の一つとなる。ユーザー機器（ＵＥ）は、ＬＴＥネットワークにアクセスするのに、セルサーチ、セルシステム情報の取得、ランダムアクセスなどの過程を経由しなければならない。セルサーチの主な目的は、（１）セルと周波数及び符号の同期の実現、（２）システムフレームタイミング、即ち下りリンクフレームの始端位置の取得、（３）セルの物理層セル標識（ＰＣＩ）の特定にある。ＵＥは、起動の際にセルサーチを行う必要があるだけでなく、モビリティをサポートするために、ＵＥは連続的に隣接セルをサーチし、同期を取り、当該セル信号の受信品質を推定することで、切り替え又はセル再選択を行うかどうかを決定する。
【０００３】
データ伝送のニーズが高まるにつれて、伝送帯域幅を増加すること、及びスペクトル利用率を高めることは、システム全体の性能を向上させるための鍵となっている。この背景で、免許不要帯域の使用はますます多くの事業者によって重視され、それを従来のＬＴＥ免許帯域の補足としてユーザーのサービス品質を向上させることを考えている。
【０００４】
免許不要帯域セルの通信は他のシステムと共存しており、スペクトルリソースを共通に使用し、ある程度からみると、当該セルの信号は、他の高い優先度のシステム（例えばレーダー）の使用によって退避しなければならず、又は、他のシステム（例えばＷｉＦｉ）とネゴシエーションを行って一つの固定の時間帯しか使用できないおそれがある。セルサーチと同期に時間がかかりすぎると、ＵＥの初期アクセス及びセル再選択、切り替えに有利ではなく、ひいては免許不要帯域セルの使用を制限することになる。よって、ＵＥが免許不要帯域セルに対して快速にサーチと同期とを行うことができることが要求されている。
【発明の概要】
【課題を解決するための手段】
【０００５】
以下では、本開示に関する簡単な概説を説明して、本開示のある局面に関する基本的理解を提供する。この概説が本開示に関する取り尽くし的概説ではないと理解すべきである。それは、本開示の肝心又は重要部分を意図的に特定するものではなく、本開示の範囲を意図的に限定するものでもない。その目的は、簡素化の形式で、ある概念を提供して、後論述するより詳しい技術の前言とするものである。
【０００６】
本開示の一局面によれば、無線通信システムにおける端末側の装置を提供する。当該装置は、サーチ待ちのターゲット周波数範囲に対応する同期信号系列を採用してターゲットセルをサーチするように配置されるサーチ手段と、装置がターゲットセルに同期するように、サーチ手段に検出された同期信号に基づいて同期を行うように配置される同期手段とを含む。ターゲット周波数範囲が第１の周波数範囲に属する場合に、サーチ手段は、同期信号系列集合の第１の部分集合における同期信号系列を採用してターゲットセルをサーチし、第１の部分集合は同期信号系列集合の真部分集合である。
【０００７】
本開示の他の一局面によれば、端末側の装置用の無線通信方法を提供する。当該方法は、サーチ待ちのターゲット周波数範囲に対応する同期信号系列を採用してターゲットセルをサーチし、装置がターゲットセルに同期するように、サーチされた同期信号に基づいて同期を行うことを含む。ターゲット周波数範囲が第１の周波数範囲に属する場合に、同期信号系列集合の第１の部分集合における同期信号系列を採用してターゲットセルをサーチし、第１の部分集合は同期信号系列集合の真部分集合である。
【０００８】
本開示の他の一局面によれば、無線通信システムにおける基地局側の装置を提供する。当該装置は、ターゲットセルの周波数範囲に関する、ターゲットセルの物理層セル標識グループを特定するように配置される標識グループ特定手段と、物理層セル標識グループに基づいて、ターゲットセルのセカンダリ同期信号用のセカンダリ同期信号系列を生成するように配置されるセカンダリ同期信号系列生成手段とを含む。ターゲットセルの周波数範囲が第１の周波数範囲に属する場合に、物理層セル標識グループは、物理層セル標識グループ集合からの第１の部分集合であり、第１の部分集合は物理層セル標識グループ集合における真部分集合である。
【０００９】
本開示の他の一局面によれば、基地局側の装置に使用される無線通信方法を提供する。当該方法は、ターゲットセルの周波数範囲に関する、ターゲットセルの物理層セル標識グループを特定し、物理層セル標識グループに基づいて、ターゲットセルのセカンダリ同期信号用のセカンダリ同期信号系列を生成することを含む。ターゲットセルの周波数範囲が第１の周波数範囲に属する場合に、物理層セル標識グループは、物理層セル標識グループ集合のみからの第１の部分集合であり、第１の部分集合は物理層セル標識グループ集合における真部分集合である。
【００１０】
本開示の他の一局面によれば、第１のキャリア上で基地局と通信可能な無線端末装置を提供する。当該装置は、第１のキャリアと異なる第２のキャリア上で基地局から送信された同期信号を受信するように配置される通信手段と、同期信号におけるセカンダリ同期信号と、セカンダリ同期信号系列集合の第１の部分集合における系列とをマッチングすることでセカンダリ同期信号を特定するように配置される同期手段とを含み、第１の部分集合はセカンダリ同期信号系列集合の真部分集合である。
【００１１】
本開示の他の一局面によれば、第１のキャリア上で無線通信端末と通信可能な無線通信システムにおける基地局を提供する。当該基地局は、第１のキャリアと異なる第２のキャリア上で、セカンダリ同期信号を含む同期信号を送信するように配置される通信手段を含む。セカンダリ同期信号は、セカンダリ同期信号系列集合の第１の部分集合から選択されたものであり、第１の部分集合はセカンダリ同期信号系列集合の真部分集合である。
【００１２】
本開示の各方面によれば、セルサーチ過程における同期信号系列マッチング回数を減少し、ＵＥがターゲットセルに同期するために用いられる時間を大幅に短縮する。
【図面の簡単な説明】
【００１３】
以下、図面と組み合わせて本開示の実施例を説明することにより、本開示の上記の目的と他の目的、特徴、長所は容易に理解されるようになるだろう。図面において、同一或いは対応する技術特徴、部品は、同一或いは対応する符号で示す。図面において、比例に従って手段のサイズと相対位置を必ずしも描画する必要はない。
【図１】本開示の実施例による無線通信システムにおける端末側の装置の構成を例示するブロック図である。
【図２】本開示の他の一実施例による無線通信システムにおける端末側の装置の構成を例示するブロック図である。
【図３】本開示の実施例による端末側の装置により使用される無線通信方法のフローチャートを例示する。
【図４】本開示の実施例による無線通信システムにおける基地局側の装置の構成を例示するブロック図である。
【図５】本開示の実施例による無線通信システムにおける基地局側の装置の構成を例示するブロック図である。
【図６】本開示の実施例による基地局側の装置に使用される無線通信方法を例示するフローチャートである。
【図７】本開示の実施例による無線端末装置の構成を例示するブロック図である。
【図８】本開示の実施例による無線通信システムの同期過程を例示するシーケンス図である。
【図９】本開示の別の実施例による無線通信システムの同期過程を例示するシーケンス図である。
【図１０】本発明を実現できるコンピュータの例示的な構成を例示するブロック図である。
【図１１】本開示の技術が応用できるｅＮＢの概略的な配置の第１の例を例示するブロック図である。
【図１２】本開示の技術が応用できるｅＮＢの概略的な配置の第２の例を例示するブロック図である。
【図１３】本開示の技術が応用できるスマートフォンの概略的な配置を例示するブロック図である。
【発明を実施するための形態】
【００１４】
以下、図面と組み合わせて本開示の例示的な実施例を記述する。明らかかつ簡明のために、明細書において実際の実施例の全部の特徴を記述していない。但し、理解すべきことは、開発者の具体的な目標を実現するように、これらの実際の実施例を開発する過程で実施例に特定する決定をしなければならず、例えば、システム及び業務に関する何らかの制限条件に適合し、且つこれらの制限条件は、実施例が異なることによって変わる可能性がある。なお、さらに、理解すべきことは、開発仕事は非常に複雑で時間がかかる可能性があるが、本開示されている内容に得意な当業者にとって、このような開発仕事はきまり通り行う任務に過ぎない。
【００１５】
ここで、さらに説明する必要がある点は、不必要な細部によって本開示を不明瞭にすることを回避するために、図面において、本発明の方案に緊密に関する装置構成及び／又は処理ステップのみを示し、本発明にそれほど関係ない他の内容を省略した。
【００１６】
セルサーチをサポートするために、ＬＴＥにおいて、三つのプライマリ同期信号（ＰＳＳ）と、１６８のセカンダリ同期信号（ＳＳＳ）との二種類の下りリンク同期信号が定義されている。よって、ＬＴＥにおいてプライマリ同期信号とセカンダリ同期信号との組合せは全部で５０４の異なるＰＣＩが定義され、且つＰＣＩごとに特定の下りリンク参照信号系列に対応する。１６８のセカンダリ同期信号は、それぞれ、１６８のセル標識グループとして標識され、三つのプライマリ同期信号は、それぞれ、三つのセル標識として標識される。プライマリ同期信号とセカンダリ同期信号とは一緒にセルのＰＣＩを決定する。基地局がセル標識グループ及びセル標識（ＰＣＩ＝３＊セル標識グループ＋セル標識）を決定すると、送信するプライマリ同期信号とセカンダリ同期信号との送信系列が特定される。ＵＥがこれらの信号をサーチした後に、全ての可能な組合せに従って信号に対して、それぞれ相関復調を行って、当該基地局が使用しているセル標識グループ及びセル標識を特定する。
【００１７】
ＵＥは、セルのＰＣＩを復調するために、可能なプライマリ同期信号とセカンダリ同期信号とを一つずつマッチングする必要がある。ＵＥがセルと同期する速度を高めて、アクセス時間を短縮するために、本開示は、新型の技術案を提案し、従来の通信プロトコルに規定された同期信号系列集合の特定の真部分集合における同期信号系列を採用してターゲットセルをサーチすることにより、可能なＵＥアクセス時間を短縮する。例えば、サーチ待ちのターゲット周波数範囲に応じて当該特定の真部分集合を特定してもよい。
【００１８】
図１は、本開示の実施例による、無線通信システムにおける端末側の装置１００の構成を例示するブロック図である。装置１００は、例えば携帯電話、ノートコンピュータなどの移動端末装置、及びこのような移動端末装置に、又はこのような移動端末装置と組合せて使用される部品（例えばチップ）又は装置などであるが、これらに限定されない。
【００１９】
装置１００はサーチ手段１０１と同期手段１０２とを含んでいる。サーチ手段１０１は、サーチ待ちのターゲット周波数範囲に対応する同期信号系列を採用してターゲットセルをサーチするように配置される。例えば、ターゲット周波数範囲が第１の周波数範囲に属する場合に、サーチ手段１０１は、同期信号系列集合の、第１の周波数範囲に対応する第１の部分集合における同期信号系列を採用してターゲットセルをサーチすることができる。ここで、第１の部分集合は同期信号系列集合の真部分集合である。ここで、同期信号系列集合は、例えば、従来の通信プロトコルに規定された同期信号系列集合であるが、これに限定されない。ターゲット周波数範囲と第１の部分集合との対応関係は予め設定されたものであってもよく、ＵＥに予め設定され（例えば、ＵＥのブートファイルに書き込む）、又は基地局によりＵＥに通知してもよい。一実施例において、装置１００は、ターゲット周波数範囲が第１の周波数範囲に属するかどうかを特定するための特定手段（未図示）を含むこともできる。
【００２０】
一実施例において、第１の周波数範囲は無線通信システムの免許不要帯域範囲であり、サーチ待ちのターゲットセルは免許不要スペクトルアクセスセルであってもよい。当該実施例において、同期信号系列集合は、例えば、当該無線通信システムにおける通信装置は免許不要帯域上のキャリア通信により通信する際に使用された同期信号系列集合であるが、これらに限定されない。装置１００が位置する無線通信システムは、一般に、機会があれば免許不要帯域リソースを利用することしかできず、空きリソースは瞬時に消えてしまうおそれがないので、本発明の方案は、特に、免許不要帯域上で作動するセルを発見することに適合し、セルの発見の時間を短縮し、リソース利用率を向上させる効果を達成するようになる。選択的に、さらに、例えば、免許不要帯域を複数のサブ周波数範囲、例えば、ＷｉＦｉ／レーダーの共存しているサブ周波数範囲及び普通の免許不要サブ周波数範囲に分割してもよい。第１の周波数範囲は、複数のサブ周波数範囲の一つに対応でき、同期信号系列集合は例えば全免許不要帯域での同期信号系列集合であり、その真部分集合に含まれた同期信号系列を利用して快速にサーチする。異なるシステムの共存がある際のサブ周波数範囲でのアクセス時間は普通のサブ周波数範囲よりも厳しく要求され、この例において、異なるシステムの共存がある際のサブ周波数範囲に対応する同期信号系列真部分集合は、通常の免許不要サブ周波数範囲よりも小さく設置されてもよく、これにより、セル発見過程をさらに速める。
【００２１】
同期手段１０２は、装置１００がターゲットセルに同期するように、サーチ手段１０１に検出された同期信号に基づいて同期を行うように配置される。真部分集合の使用によって、ＵＥがターゲットセルをサーチする過程で実行可能なマッチング回数は著しく減少され、ひいては、ＵＥとターゲットセルとの同期時間を短縮するようになる。
【００２２】
以下では、記述の便宜上、例示的に免許不要帯域セルのアクセスに基づいて本開示による装置と方法を記述する。ただし、当業者は、本開示による装置と方法は、例えば免許帯域などの任意の他の同期過程を速める周波数範囲のセルのアクセスにも適用し、同様に、同期時間を短縮する効果を得ることもできる。例えば、密集したスモールセル配置がある場面において、高速に移動するＵＥはスモールセルに快速にアクセスする必要もある。よって、スモールセルの帯域範囲を第１の周波数範囲とすることで、同期過程を速める。
【００２３】
従来で定義されている同期信号において、プライマリ同期信号は三種類の可能性があるので、プライマリ同期信号へのマッチングは最大限三回である。セカンダリ同期信号が異なるフレームに位置し採用する系列が異なるので、それぞれのセカンダリ同期信号はまた１６８の可能性があるので、セカンダリ同期信号へのマッチングは最大限１６８回に達する。従って、同期信号系列における真部分集合を候補のマッチング待ちの同期信号セットとして採用する方案において、セカンダリ同期信号は大きい最適化空間を有する。よって、一実施例において、上で記述された同期信号系列はセカンダリ同期信号系列であってもよい。サーチ手段１０１は、例えば免許不要帯域のターゲット周波数範囲に対応するセカンダリ同期信号系列を採用してターゲットセルのセカンダリ同期信号を復号するように配置される。
【００２４】
免許不要帯域の使用について、現在の業界では一般に合意することは、免許帯域による支援で免許不要帯域、即ち、キャリアアグリゲーション方式の、ＬＴＥの免許支援により（ＬＡＡ−ＬＴＥ）にアクセスする。ＬＡＡ−ＬＴＥセルについて、一実施例において、そのセカンダリ同期信号が従来標準のある部分集合のみを使用することを定義してもよい。例えば、１６８の基本系列のうちの５６の基本系列のみが使用される。これにより、ＵＥがそれぞれセカンダリ同期信号系列に対して自己相関（マッチング）を行う回数を減少し、同期時間を大幅に減少するようになる。
【００２５】
一実施例において、装置１００は、通信インタフェース（図示しない）を含むこともできる。当該通信インタフェースは、免許帯域での第１のセルによりターゲットセルをサーチするコマンド、及び第１の部分集合の指示情報を取得するように配置される。例えば、当該通信インタフェースは、免許帯域での第１のセルによりターゲットセルをサーチするコマンド、及び第１の部分集合の指示情報を含むシグナリングを受信してもよい。当該シグナリングは例えばブロードキャストシグナリングであってもよく、ＲＲＣシグナリングであってもよい。
【００２６】
ＬＡＡ−ＬＴＥの場面において、セカンダリ同期信号系列集合の、免許不要帯域に対応する真部分集合を同期信号系列として使用してターゲットセルをサーチすることを例として、例えばＰＣＩモード６の値に応じてセカンダリ同期信号の基本系列（従来の標準では１６８である）を分割し、セカンダリ同期信号の使用する系列を六つの部分集合に分割され、第１の部分集合の候補とし、それぞれの真部分集合に相応する番号を割当て、第１の部分集合の指示情報としてもよい。他の例において、グループＩＤの順に従って部分集合を分割してもよい。例えば、セカンダリ同期信号の基本系列は三つの部分集合に分割されてもよい。
【００２７】
例えば上記ＬＡＡ−ＬＴＥの場面において、装置１００がターゲットセルにアクセスした後に、装置１００の通信インタフェースは、さらに、ターゲットセルにより更新された同期信号系列に関する指示を取得及び更新するように配置されてもよい。例えば免許キャリア支援を必要とせず、免許不要帯域による通信の場面において、装置１００の通信インタフェースは、装置１００がターゲットセルにアクセスした後に、ターゲットセルにより、更新された同期信号系列に関する指示を取得してもよく、言い換えれば、この例において、免許不要帯域により、更新された同期信号系列に関する指示を取得してもよい。
【００２８】
図２は、本開示の他の一実施例による、無線通信システムにおける端末側の装置２００の構成を例示するブロック図である。装置２００は、サーチ手段２０１と、同期手段２０２と、検出手段２０３と、通知手段２０４とを含むことができる。サーチ手段２０１と同期手段２０２とが有する、図１を組み合わせて記述されるサーチ手段１０１と同期手段１０２との同じ機能と構成については、ここで重複する記述をしない。本実施例及び以下の別の実施例において、同一の用語（例えば「第１の部分集合」、「第１の周波数範囲」など）は、前記の実施例と同じ意味を示す。
【００２９】
検出手段２０３は、第１の部分集合の使用によって、装置２００により第１の周波数範囲で受信された参照信号の干渉が過大になったかどうかを検出することができる。例えば、参照信号受信品質（ＲＳＲＱ）信号などを検出することで干渉が過大になったかどうかを特定してもよいが、これに限定されない。例えば、ＲＳＲＱを検出することで強い干渉があると特定した場合に、さらに、強い干渉が継続する時間を特定してもよく、それが所定の時間閾値を超えた場合に、第１の部分集合の使用によって、装置２００により第１の周波数範囲で受信された参照信号の干渉が過大になったと特定できるが、これに限定されない。干渉が過大になったことが検出された場合に、通知手段２０４は、検出結果を、そのサービングセル又はターゲットセルの基地局に通知してもよい。なお、幾つかの例において、装置２００の現サービングセル（例えば免許帯域でのサービングセル）と、免許不要帯域でのターゲットセルとは基地局を共有し、他の幾つかの例において、サービングセルとターゲットセルとは異なる基地局がエンティティ管理をしてもよく、通知手段２０４は、検出結果を、サービングセル基地局に通知してから、サービングセル基地局がＸ２シグナリングによりターゲットセルの基地局に伝送してもよく、更なる幾つかの例において、装置２００は、ターゲットセルにアクセスした後に検出結果をターゲットセルの基地局に直接報告してもよい。
【００３０】
同期信号系列集合は、第１の周波数範囲のセルサーチに用いられる複数の真部分集合を含んでもよい。サーチ手段２０１は、サービングセル／ターゲットセルの基地局が通知手段２０４から送信された干渉が過大になった通知に応じて複数の真部分集合から再選択された第２の部分集合の指示、及びターゲットセルの基地局から再送信された同期信号を検出してもよい。もちろん、再選択された第２の部分集合は第１の部分集合と異なる。サーチ手段２０１は、第２の部分集合の指示に従って、第２の部分集合を使用して再送信された同期信号を復号してもよい。
【００３１】
選択的に、ターゲットセルの基地局は、通知手段２０４から送信された干渉が過大になったという通知に応答して、第１の部分集合から他の同期信号系列を再選択し、部分集合を再選択しなくてもよい。
【００３２】
ＬＡＡ−ＬＴＥの場面において、ＬＡＡ−ＬＴＥのターゲットセルについて、一般に、マクロセルとスモールセルとは異なる帯域に配置されるので、実際の配置において、非常に、同じＰＳＳとＳＳＳとを使用する可能性がある。よって、ＬＡＡ−ＬＴＥセルに対して同期を行う際に、それが使用する具体的なＰＳＳ／ＳＳＳの使用系列を特定するために、まず、マクロセルとスモールセルとの系列を使用してマッチングし、できるだけ同期の速度を速める。例として、装置２００がＬＴＥによる支援での免許不要スペクトルアクセスを実行する場合に、サーチ手段２０１は、まず、装置２００が先に滞留したセルのセカンダリ同期信号を同期信号系列として使用してサーチを行ってもよい。第１の部分集合に含まれる同期信号系列は現在又は以前の免許帯域でのサービングセルの同期信号系列に対応できると理解される。当該技術内容と、以下記述する技術内容とは、図１を組み合わせて記述された装置１００にも同様に適用する。
【００３３】
装置２００がセル切り替えを行う必要がある場合に、サーチ手段２０１は、現在サービスする基地局からの無線リソース制御（ＲＲＣ）配置情報に応じて第１の部分集合に関する指示を取得してもよい。同期信号系列集合は、第１の周波数範囲のセルサーチに用いられる複数の真部分集合を含んでもよく、第１の部分集合の番号はＲＲＣ配置情報に含まれる。
【００３４】
サーチ手段２０１は第１の部分集合における全ての系列を使用してもターゲットセルがサーチできないと、第３の部分集合における系列を使用してサーチを実行することができる。ここでいう第３の部分集合は、第１の周波数範囲のセルサーチに用いられる複数の真部分集合の一つであり、且つ第１の部分集合と異なる。
【００３５】
図３は、本開示の実施例による、端末側の装置に用いられる無線通信方法のフローチャートを例示する。ステップＳ３０１において、サーチ待ちのターゲット周波数範囲に対応する同期信号系列を採用してターゲットセルをサーチする。例えば、ターゲット周波数範囲が第１の周波数範囲に属する場合に、同期信号系列集合の第１の部分集合における同期信号系列を採用してターゲットセルをサーチする。ここで、第１の部分集合は同期信号系列集合の真部分集合である。ステップＳ３０２において、装置がターゲットセルに同期するように、サーチされた同期信号に基づいて同期を行う。図３のステップに係る具体的実施形態と変形は、図１と図２に組み合わせて記述されたものと同じであるので、ここで重複しない。
【００３６】
以下、図４に組み合わせて本開示の実施例による、無線通信システムにおける基地局側の装置４００を記述する。装置４００は、標識グループ特定手段４０１とセカンダリ同期信号系列生成手段４０２と含んでいる。標識グループ特定手段４０１は、ターゲットセルの物理層セル標識グループを特定するように配置される。具体的に、標識グループ特定手段４０１は、ターゲットセルの周波数範囲に準じて物理層セル標識グループを特定してもよい。例えば、ターゲットセルの周波数範囲が第１の周波数範囲に属する場合に、物理層セル標識グループを、物理層セル標識グループ集合からの、物理層セル標識グループ集合の真部分集合である第１の部分集合として特定する。一例において、標識グループ特定手段４０１は、ターゲットセルの周波数範囲に準じてターゲットセルの物理層セル標識グループを自動的に特定してもよい。選択的に、標識グループ特定手段４０１は、経営者が運営管理、保守（ＯＡＭ）により行われる配置に応じて、ターゲットセルの周波数範囲に準じてターゲットセルの物理層セル標識グループを特定してもよい。一例において、装置４００は、ターゲットセルの周波数範囲が第１の周波数範囲に属するかどうかを特定する特定手段を含むこともできる。
【００３７】
セカンダリ同期信号系列生成手段４０２は、標識グループ特定手段４０１により特定された物理層セル標識グループに基づいて、ターゲットセルのセカンダリ同期信号用のセカンダリ同期信号系列を生成するように配置される。一実施例において、セカンダリ同期信号ＳＳＳは、長さが６３であるＺａｄｏｆｆ−Ｃｈｕ系列（中央に直流サブキャリア（ＤＣサブキャリア）があるので、実際に伝送する長さは６２となる）、境界に余分に予備してある保護帯域である５個のサブキャリアを加えて、中心の７２個のサブキャリア（ＤＣを含まない）を占めるＳＳＳを形成する。周波数分割多重（ＦＤＤ）であっても時間分割多重（ＴＤＤ）であっても、ＳＳＳはいずれもサブフレーム０と５とで伝送されるようになる。ＬＴＥにおいて、ＳＳＳの設計は、特別なところがある。例えば、二つのＳＳＳ（ＳＳＳ１とＳＳＳ２とがサブフレーム０とサブフレーム５とにそれぞれ位置する）の値は、１６８のオプション値の集合の、例えば、元素の数が５６である真部分集合）からのものである（規格３６．２１１の表６．１１．２．１−１
【数１】
0006673364.tif 000002
を参照）。ＳＳＳ１の値の範囲はＳＳＳ２と異なるので、ＵＥが一つのＳＳＳのみを受信すればシステムフレーム１０ｍｓのタイミング（即ち、サブフレーム０がある位置）を検出することを許可する。これは、セルサーチの過程に、ＵＥが複数のセルをサーチし、サーチするタイムウィンドウがＵＥによる一つ以上のＳＳＳを検出するのに不十分かもしれないからである
【００３８】
一実施例において、第１の周波数範囲は無線通信システムの免許不要帯域範囲であってもよい。ターゲットセルは免許不要スペクトルアクセスセルであってもよい。もちろん、第１の周波数範囲は、他の同期過程を速める必要がある周波数範囲であってもよい。例えば、密集したスモールセルの配置がある場面において、ＵＥが高速に移動すると、スモールセルに快速にアクセスする必要もある。よって、当該スモールセルの帯域範囲を第１の周波数範囲とすることで、同期過程を速めることができる。
【００３９】
図５は、本開示の実施例による無線通信システムにおける基地局側の装置５００の構成を例示するブロック図である。装置５００は、標識グループ特定手段５０１と、セカンダリ同期信号系列生成手段５０２と、通信手段５０３と、情報更新手段５０４とを含んでいる。標識グループ特定手段５０１とセカンダリ同期信号系列生成手段５０２とが有する、図４と組み合わせて記述された標識グループ特定手段４０１とセカンダリ同期信号系列生成手段４０２と同じ機能、構成については、ここで重複しない。
【００４０】
第１の周波数範囲は無線通信システムの免許不要帯域範囲であり、且つ、ターゲットセルは免許不要スペクトルアクセスセルである実施例において、装置５００は、通信手段５０３を介してターゲットセルに対応する免許不要帯域上でセカンダリ同期信号を送信することができる。
【００４１】
また、一例において、ＵＥ側の装置が第１の部分集合の使用によって当該ＵＥ側の装置が第１の周波数範囲で受信された参照信号の干渉が過大になったことを検出し、且つ、干渉が過大になったことを指示する検出結果を、ターゲットセルの基地局に通知した場合に、基地局側の装置５００の通信手段５０３は、さらに、当該干渉が過大になった通知を受信してもよい。なお、幾つかの例において、ＵＥ側の装置の現サービングセル（例えば免許帯域でのサービングセル）と免許不要帯域でのターゲットセルとは基地局を共有しており、他の幾つかの例において、サービングセルとターゲットセルとは異なる基地局がエンティティ管理してもよく、検出結果をサービングセル基地局に通知し、それから、サービングセル基地局がＸ２シグナリングによりターゲットセルの基地局に伝送してもよく、更なるいくつかの例において、ＵＥ側の装置はターゲットセルにアクセスした後、検出結果を直接ターゲットセルの基地局に報告してもよい。通信手段５０３は、当該通知を受信した場合に、通知の受信に応答して、標識グループ特定手段５０１は物理層セル標識グループ集合の真部分集合であって、第１の部分集合とは異なる第２の部分集合を物理層セル標識グループに再特定してもよい。そして、セカンダリ同期信号系列生成手段５０２は、第２の部分集合に基づいてセカンダリ同期信号系列を再生成してもよい。標識グループ特定手段５０１が第２の部分集合を物理層セル標識グループとして再特定した場合に、情報更新手段５０４は、ターゲットセルにより送信しようとする、第２の部分集合に関する指示情報を含むシステムブロードキャスト情報を生成してもよい。選択的に、情報更新手段５０４は、免許帯域上で送信しようとする、第２の部分集合に関する指示情報を含むシステムブロードキャスト情報を生成してもよい。
【００４２】
他の例において、通信手段５０３は、さらに、第２の部分集合の指示情報を、無線通信システムにおける他の基地局側装置、例えば基地局側の装置に通知してもよい。具体的例について、以下で詳細に記述する。
【００４３】
一実施例において、基地局側の装置４００（５００）は、ターゲットセルの隣接セルの物理層セル標識グループ部分集合を取得するとともに、本セル端末側装置に対して隣接セルに係る無線リソース管理を行う場合に、無線リソース制御シグナリングを生成して隣接セル標識グループ部分集合を端末側装置に通知してもよい。
【００４４】
別の一実施例において、基地局側の装置４００（５００）の通信手段は、さらに、干渉が過大になった通知の受信に応答して、Ｓ１インタフェースにより、コアネットワークへ干渉が過大になったイベントを報告し、コアネットワークから更新されたセル標識グループに関する情報を取得してもよい。
【００４５】
図６は、本開示の実施例による基地局側の装置に使用される無線通信方法を例示するフローチャートである。ステップＳ６０１において、ターゲットセルの物理層セル標識グループを特定する。当該物理層セル標識グループはターゲットセルの周波数範囲に関する。例えば、ターゲットセルの周波数範囲が第１の周波数範囲に属する場合に、物理層セル標識グループは物理層セル標識グループ集合のみからの第１の部分集合であり、且つ、当該第１の部分集合は物理層セル標識グループ集合における真部分集合である。ステップＳ６０２において、物理層セル標識グループに基づいて、ターゲットセルのセカンダリ同期信号用のセカンダリ同期信号系列を生成する。図６の各ステップに係る具体的な実施形態と変形は、図４と図５に基づいて記述されたものと同じであるので、ここで重複しない。
【００４６】
図７は、本開示の実施例による無線端末装置７００の構成を例示するブロック図である。無線端末装置７００は、第１のキャリア上で基地局と通信することができる。一例において、第１のキャリアは免許帯域でのキャリアであってもよい。無線端末装置７００は、通信手段７０１と同期手段７０２とを含むことができる。通信手段７０１は、前記第１のキャリアと異なる第２のキャリア上で基地局から送信された同期信号を受信してもよい。一例において、第２のキャリアは免許不要帯域でのキャリアであってもよい。同期手段７０２は、同期信号におけるセカンダリ同期信号とセカンダリ同期信号系列集合の第１部分集合における系列とをマッチングすることでセカンダリ同期信号を特定してもよい。ここで、第１の部分集合は、セカンダリ同期信号系列集合の真部分集合である。一実施例において、セカンダリ同期信号系列集合は、無線端末装置が第１のキャリアにより通信する際に使用されるセカンダリ同期信号系列集合であってもよい。
【００４７】
本開示の実施例によれば、無線通信システムにおける基地局をさらに提供する。当該基地局は第１のキャリア上で無線通信端末と通信することができる。当該基地局は通信手段を含んでいる。当該通信手段は、第１のキャリアと異なる第２のキャリア上でセカンダリ同期信号を含む同期信号を送信するように配置されてもよい。ここで、セカンダリ同期信号は、セカンダリ同期信号系列集合の真部分集合である第１の部分集合から選択されたものであってもよい。一実施例において、第１のキャリアは免許帯域でのキャリア信号であってもよく、第２のキャリアは免許不要帯域でのキャリア信号であってもよい。セカンダリ同期信号系列集合は、例えば基地局が第１のキャリアにより通信する際に使用されるセカンダリ同期信号系列集合であってもよい。
【００４８】
以下では、図８と図９とを組み合せて本開示による具体的な実施例を記述する。なお、図８と図９において、ＬＴＥによる支援で免許不要スペクトルアクセスの場面を例として記述したが、当業者は、一般的労働により相応方案を単独の免許不要ネットワーク（即ち、ＬＴＥによる支援なしのネットワーク）に使用することができる。
【００４９】
図８は、本開示の実施例による無線通信システムの同期プロセスを例示するシーケンス図である。図８は、ＬＴＥによる支援での免許不要スペクトルアクセスの場面を示す。当該実施例において、セルとユーザー機器との全部はいずれも同期信号系列集合の同一の固定部分集合を、第１の部分集合として使用した。時間Ｔ８１で、ＵＥはサービング基地局とプライマリーコンポーネントキャリア（当該実施例において免許帯域である）上で通信する。時間Ｔ８２で、基地局は、プライマリーコンポーネントキャリア上で、ＵＥへそれをセカンダリコンポーネントキャリア（当該実施例において免許不要帯域である）に切り替えらせて通信するようにするコマンドを送信する。時間Ｔ８３で、ＵＥは、当該コマンドに応答して、セカンダリコンポーネントキャリア上のブロードキャスト情報を受信するように切り替える。当該ブロードキャスト情報は同期信号系列集合の、第１の部分集合としての固定部分集合を持っている。時間Ｔ８４で、ＵＥは、例えばブートファイルに予め記憶された固定部分集合を使用して、受信されたブロードキャスト情報における同期系列信号とマッチングする。使用されるのは固定部分集合であるので、必ず免許不要帯域上でアクセスするセルのセカンダリ同期信号、プライマリ同期信号、ひいては物理標識を特定することができる。時間Ｔ８５で、ＵＥは、免許不要帯域上で作動しているセルと同期を取り、正常な通信を行う。当該実施例において、各セカンダリセルが使用するのは同期信号系列の固定部分集合（真部分集合）であるので、免許不要帯域上で作動するサービング基地局は、当該部分集合を他の基地局に通知する必要がない。
【００５０】
同様に、図８を参照して、セルとユーザー機器との全部はいずれも同期信号系列集合の同一の固定部分集合を第１の部分集合を使用すると比べると、代わりに、セルごとに自身の固定の部分集合を使用してもよい。時間Ｔ８４で、ＵＥは、まず、デフォルト部分集合を使用してブロードキャスト情報における同期信号とマッチングする。デフォルト部分集合がマッチングできない場合に、他の部分集合をランダムに交換してマッチングする。一例において、ＵＥは、まず、以前のプライマリーコンポーネントキャリア上の通信と同じプライマリ同期信号とセカンダリ同期信号とを、デフォルト部分集合として使用してマッチングしてもよい。
【００５１】
図９は、本開示の他の一実施例による無線通信システムの同期プロセスを例示するシーケンス図である。図９は、ＬＴＥによる支援での免許不要スペクトルアクセスの場面を示す。当該実施例において、全てのセルは、まず、同期信号系列集合の統一デフォルト部分集合を第１の部分集合として使用する。時間Ｔ９１で、ＵＥはサービング基地局とプライマリーコンポーネントキャリア（当該実施例において免許帯域である）上で通信する。時間Ｔ９２で、基地局はプライマリーコンポーネントキャリア上でＵＥへ、それをセカンダリコンポーネントキャリア（当該実施例において免許不要帯域である）に切り替えらせて通信するようにするコマンドを送信する。時間Ｔ９３で、ＵＥは、当該コマンドに応答して、セカンダリコンポーネントキャリア上のブロードキャスト情報を受信するように切り替える。当該ブロードキャスト情報は同期信号系列集合の、第１の部分集合である固定部分集合を持っている。時間Ｔ９４で、ＵＥは、例えばブートファイルに予め記憶されたデフォルト部分集合（好ましくは、各セルのデフォルト部分集合と同じ部分集合である）を使用して、受信されたブロードキャスト情報における同期系列信号とマッチングする。時間Ｔ９５で、ＵＥは、免許不要帯域で作動しているセルと同期を取り、正常な通信を行う。
【００５２】
時間Ｔ９６で、ＵＥは、同期系列信号の真部分集合の使用によってＵＥが当該免許不要帯域上で受信された参照信号の干渉が過大になったかどうかを検出する。干渉が過大になると、時間Ｔ９７でＵＥは干渉が過大になったことを指示する検出結果をセル基地局に通知する。当該通知は、選択的に、プライマリーコンポーネントキャリア（免許帯域）又はセカンダリコンポーネントキャリア（免許不要帯域）で送信されてもよい。時間Ｔ９８で、基地局は当該通知の受信に応答して他の真部分集合を交換して、又は元の部分集合を基に一つの信号系列（例えばセカンダリ同期信号系列）を選択する。そして、時間Ｔ９９とＴ９１０とで、それぞれ、当該再選択された部分集合又は系列とを、ＵＥと他の基地局とに送信する。ここで、Ｔ９９とＴ９１０とは同じ時刻であってもよく、異なる時刻であってもよい。
【００５３】
本願は、本願の実施例に係る方法、装置のフローチャート及び／又はブロック図を参照しながら記述される。フローチャート及び／又はブロック図の各ブロック及びフローチャート及び／又はブロック図の各ブロックの組み合わせは、いずれもコンピュータプログラム指令により実現されてもよい。これらのコンピュータプログラム指令は、汎用コンピュータ、専用コンピュータ、又は他のプログラマブルデータ処理装置のプロセッサに提供されることで機器を生産し、コンピュータ又は他のプログラマブルデータ処理装置により実行される指令を介して、フローチャート及び／又はブロック図のブロックにおける規定の機能／操作を実現するための装置を生成する。
【００５４】
これらのコンピュータプログラム指令は、コンピュータ又は他のプログラマブルデータ処理装置に特定の方式で作動させるコンピュータ読み取り可能な記憶媒体に記憶されてもよく、該コンピュータ読み取り可能な記憶媒体に記憶された指令はフローチャート及び／又はブロック図のロックにおける指定の機能／操作を実現する指示手段（ｉｎｓｔｒｕｃｔｉｏｎ  ｍｅａｎｓ）を含む製品を生成する。
【００５５】
これらのコンピュータプログラム指令は、コンピュータ又は他のプログラマブルデータ処理装置にロードされてもよく、コンピュータ又は他のプログラマブル装置において一連の操作ステップを実行させてコンピュータで実現される処理を生成し、コンピュータ又は他のプログラマブル装置において実行される指令は、フローチャート及び／又はブロック図のブロックにおける規定の機能を実現するためのプロセスを提供する。
【００５６】
なお、図面におけるフローチャートおよびブロック図は、本発明の各実施例に係るシステム、方法およびコンピュータプログラム製品により実現可能なアーキテクチャ、機能および操作を示す。ここで、フローチャートまたはブロック図における各ブロックは、１つのモジュール、プログラムセグメント、またはコードの一部を代表してもよく、前記モジュール、プログラムセグメント、またはコードの一部は、規定の論理機能を達成するための１つ又は複数の実行可能な命令を含む。なお、いくつかの代替実施態様として、ブロックに示された機能は、図面に示された順番と異なる順番で実行されてもよい。例えば、連続して示された２つのブロックは、関連する機能に応じて、実際にほぼ並行に実行されてもよく、逆の順番で実行されてもよい。なお、ブロック図及び／又はフローチャートにおける各ブロックと、ブロック図及び／又はフローチャートにおけるブロックの組合せは、規定の機能または操作を実行する、ハードウェアに基づく専用システムで実現されてもよく、あるいは、専用ハードウェアとコンピュータの命令との組合せで実行されてもよい。
【００５７】
図１０は、本発明を実現できるコンピュータの概略的な構成を例示するブロック図である。図１０において、演算処理ユニット（ＣＰＵ）１００１は、読取専用メモリ（ＲＯＭ）１００２に記憶されているプログラム或いは記憶部１００８からランダムアクセスメモリ（ＲＡＭ）１００３にロードしたプログラムに基づいて各種の処理を実行する。ＲＡＭ１００３にも、必要に応じてＣＰＵ１００１が各種の処理等を実行する際に必要なデータが記憶される。
【００５８】
ＣＰＵ１００１、ＲＯＭ１００２、ＲＡＭ１００３はバス１００４を介して互いに接続されている。入力／出力インタフェース１００５もバス１００４に接続されている。
【００５９】
キーボード、マウス等を含む入力部１００６、ディスプレイ、例えば陰極線管（ＣＲＴ）、液晶ディスプレイ（ＬＣＤ）等、スピーカ等を含む出力部１００７、ハードディスク等を含む記憶部１００８、ネットワークインターフェースカード例えばＬＡＮカード、モデム等を含む通信部１００９は入力／出力インタフェース１００５に接続される。通信部１００９は、ネットワーク、例えばインターネットを介して通信処理を実行する。
【００６０】
必要に応じて、ドライバ１０１０も入力／出力インタフェース１００５に接続される。リムーバブルメディア１０１１、例えばディスク、光ディスク、光磁気ディスク、半導体メモリ等は、必要に応じてドライバ１０１０に装着され、その中から読み出したコンピュータプログラムが必要に応じて記憶部１００８にインストールされる。
【００６１】
ソフトウェアで上記一連の処理を実現する場合、ネットワーク、例えばインターネット或いは記憶装置、例えばリムーバブルメディア１０１１からソフトウェアを構成するプログラムをインストールする。
【００６２】
当業者であれば、この種の記憶媒体は、図１０に示す、その中にプログラムが記憶され方法に別途配分してユーザーにプログラムを提供するリムーバブルメディア１０１１に限定されないことが理解される。リムーバブルメディア１０１１の例は、磁気ディスク、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１００２、記憶部１００８に含まれるハードディスク等であってもよく、その中にプログラムが記憶され、且つこれらを含む装置とともにユーザーに配分される。
【００６３】
本開示の基地局によれば、例えば、任意のタイプの進化型ノードＢ（ｅＮＢ）、例えばマクロｅＮＢとスモールｅＮＢとして実現されてもよい。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、任意の他のタイプの基地局、例えばＮｏｄｅＢとベーストランシーバ基地局（ＢＴＳ）として実現されてもよい。基地局は、無線通信を制御するように配置される本体（基地局装置とも称する）と、本体と異なる箇所に設置される一つ又は複数のリモート無線ヘッド（ＲＲＨ）とを含んでもよい。ここで、Ｃ−ＲＡＮ（Ｃｅｎｔｒａｌｉｚｅｄ  Ｃｏｏｐｅｒａｔｉｖｅ  Ｃｌｏｕｄ  ＲＡＮ）の発展につれて、上記の無線通信を制御する本体は、ベースバンド・クラウド端末の処理装置、例えばサーバであってもよい。また、以下記述する各種のタイプの端末は、基地局機能を一時又は半恒久的に実行することにより基地局として作動してもよい。
【００６４】
本開示によるユーザー機器は、例えば、移動端末（例えばスマートフォン、タブレットパソコンコンピュータ（ＰＣ）、ノートＰＣ、スマートウェアラブルデバイス、携帯型ゲーム端末、携帯型／ウオッチドッグ型移動ルータとデジタル撮像装置）又はインテリジェント車両、車載端末（例えばカーナビゲーション装置）として実現されてもよい。また、ユーザー機器は、マシンツーマシン（Ｍ２Ｍ）通信を実行する端末（マシン型通信（ＭＴＣ）端末とも称される）として実現されてもよい。また、ユーザー機器は、上記端末における端末ごとに取り付けられた無線通信モジュール（例えば単一又は複数のチップを含む集成回路モジュール）であってもよい。
【００６５】
以下では、図１３乃至図１５を組み合わせた例を挙げて基地局とユーザー機器との応用例を説明する。
【００６６】
特定の場面において、例えば、以上で記述された本開示による基地局は、マクロ基地局又はスモールセル基地局により実現されてもよい。マクロ基地局とスモールセル基地局は、図１１と図１２とに示すｅＮＢで実現されてもよい。
【００６７】
図１１は本開示の技術を応用できるｅＮＢの例示的配置の第１の例を例示するブロック図である。ｅＮＢ１１００は、一つ又は複数のアンテナ１１１０及び基地局装置１１２０を含む。基地局装置１１２０はアンテナ１１１０ごとにＲＦケーブルを介して互いに接続されてもよい。
【００６８】
アンテナ１１１０の各々は、単一の又は複数のアンテナ素子（例えば、多入力多出力（ＭＩＭＯ）アンテナに含まれる複数のアンテナ素子）を含み、基地局装置１１２０による無線信号の送受信のために用いられる。図１１に示すように、ｅＮＢ１１００は、複数のアンテナ１１１０を含んでもよい。複数のアンテナ１１１０は、例えばｅＮＢ１１００が使用する複数の周波数帯域に共用してもよい。なお、図１１にはｅＮＢ１１００が複数のアンテナ１１１０を含む例を示したが、ｅＮＢ１１００は単一のアンテナ１１１０を含んでもよい。
【００６９】
基地局装置１１２０は、コントローラ１１２１、メモリ１１２２、ネットワークインタフェース１１２３、及び無線通信インタフェース１１２５を含む。
【００７０】
コントローラ１１２１は、例えばＣＰＵ又はＤＳＰであってよく、基地局装置１１２０の上位レイヤの様々な機能を操作する。例えば、コントローラ１１２１は、無線通信インタフェース１１２５により処理された信号内のデータからデータパケットを生成し、生成したパケットをネットワークインタフェース１１２３を介して転送する。コントローラ１１２１は、複数のベースバンドプロセッサからのデータをバンドリングすることによりバンドルドパケットを生成し、生成したバンドルドパケットを転送してもよい。また、コントローラ１１２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。
【００７１】
メモリ１１２２は、ＲＡＭ及びＲＯＭを含み、コントローラ１１２１により実行されるプログラム、及び様々な制御データ（例えば、端末リスト、伝送電力データ及びスケジューリングデータなど）を記憶する。
【００７２】
ネットワークインタフェース１１２３は基地局装置１１２０をコアネットワーク１１２４に接続するための通信インタフェースである。コントローラ１１２１はネットワークインタフェース１１２３を介してコアネットワークノード又は他のｅＮＢと通信してもよい。この場合、ｅＮＢ１１００とコアネットワークノード又は他のｅＮＢとはロジックインタフェース（例えばＳ１インタフェースとＸ２インタフェース）により互いに接続されてもよい。ネットワークインタフェース１１２３は有線通信インタフェース、又は無線バックホールのための無線通信インタフェースであってもよい。ネットワークインタフェース１１２３が無線通信インタフェースであれば、ネットワークインタフェース１１２３は無線通信インタフェース１１２５により使用される周波数帯域よりも高い周波数帯域を無線通信に使用してもよい。
【００７３】
無線通信インタフェース１１２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１１１０を介して、ｅＮＢ１１００のセル内に位置する端末までの無線接続を提供する。無線通信インタフェース１１２５は、一般、ベースバンド（ＢＢ）プロセッサ１１２６及びＲＦ回路１１２７を含んでもよい。ＢＢプロセッサ１１２６は、例えば、符号化／復号化、変調／復調及び多重化／逆多重化を実行するとともに、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ１１２１の代わりに、ＢＢプロセッサ１１２６は上記ロジック機能の一部又は全部を有してもよい。ＢＢプロセッサ１１２６は通信制御プログラムを記憶するメモリであってもよく、又はプログラムを実行するように配置されるプロセッサ及び関連する回路を含むモジュールであってもよい。ＢＢプロセッサ１１２６の機能はプログラムの更新により変更可能であってもよい。当該モジュールは基地局装置１１２０のスロットに挿入されるカード若しくはブレードであってもよい。選択的に、当該モジュールはカード若しくはブレードに搭載されるチップであってもよい。一方、ＲＦ回路１１２７は例えばミキサ、フィルタ及びアンプを含んでもよく、アンテナ１１１０を介して無線信号を送受信する。
【００７４】
図１１に示すように、無線通信インタフェース１１２５は複数のＢＢプロセッサ１１２６を含んでもよい。例えば、複数のＢＢプロセッサ１１２６はｅＮＢ１１００が使用する複数の周波数帯域に共用されてもよい。図１１に示すように、無線通信インタフェース１１２５は複数のＲＦ回路１１２７を含んでもよい。例えば、複数のＲＦ回路１１２７は複数のアンテナ素子に共用されてもよい。図１１は無線通信インタフェース１１２５に複数のＢＢプロセッサ１１２６と複数のＲＦ回路１１２７とを含む例を示したが、無線通信インタフェース１１２５は単一のＢＢプロセッサ１１２６又は単一のＲＦ回路１１２７を含んでもよい。
【００７５】
図１２は、本開示の技術を応用できるｅＮＢの例示的配置の第２の例を例示するブロック図である。ｅＮＢ１２００は、一つ又複数のアンテナ１２１０と、基地局装置１２２０と、ＲＲＨ１２３０とを含んでもよい。ＲＲＨ１２３０は各アンテナ１２１０とＲＦケーブルケーブルを介して互いに接続されてもよい。基地局装置１２２０とＲＲＨ１２３０は例えば光ファイバケーブルの高速回線で互いに接続されてもよい。
【００７６】
アンテナ１２１０の各々は、単一の又は複数のアンテナ素子（例えば、ＭＩＭＯアンテナに含まれる複数のアンテナ素子）を含み、ＲＲＨ１２３０による無線信号の送受信のために用いられる。図１２に示すように、ｅＮＢ１２００は複数のアンテナ１２１０を含んでもよい。例えば、複数のアンテナ１２１０はｅＮＢ１２００が使用する複数の周波数帯域に共用されてもよい。図１２はｅＮＢ１２００が複数のアンテナ１２１０を含む例を示したが、ｅＮＢ１２００は単一のアンテナ１２１０を含んでもよい。
【００７７】
基地局装置１２２０は、コントローラ１２２１、メモリ１２２２、ネットワークインタフェース１２２３、無線通信インタフェース１２２５、及び接続インタフェース１２２７を含む。コントローラ１２２１、メモリ１２２２、及びネットワークインタフェース１２２３は図１２を参考して記述されたコントローラ１２２１、メモリ１２２２、及びネットワークインタフェース１２２３と同じである。ネットワークインタフェース１２２３は、基地局装置１２２０をコアネットワーク１２２４に接続するためのものである。
【００７８】
無線通信インタフェース１２２５は任意のセルラー通信方式（例えばＬＴＥ、ＬＴＥ−Ａｄｖａｎｃｅｄ）をサポートし、ＲＲＨ１２３０とアンテナ１２１０とを介してＲＲＨ１２３０に対応するセクタ内に位置する端末までの無線接続を提供する。無線通信インタフェース１２２５は、一般、例えばＢＢプロセッサ１２２６を含んでもよい。ＢＢプロセッサ１２２６が接続インタフェース１２２７を介してＲＲＨ１２３０のＲＦ回路１２３４と接続されること以外に、ＢＢプロセッサ１２２６は図１１を参考して記述されたＢＢプロセッサ１２２６と同じである。図１２に示すように、無線通信インタフェース１２２５は複数のＢＢプロセッサ１２２６を含んでもよい。例えば、複数のＢＢプロセッサ１２２６はｅＮＢ１２００が使用する複数の周波数帯域に共用されてもよい。図１２は無線通信インタフェース１２２５が複数のＢＢプロセッサ１２２６を含む例を示したが、無線通信インタフェース１２２５は単一のＢＢプロセッサ１２２６を含んでもよい。
【００７９】
接続インタフェース１２２７は基地局装置１２２０（無線通信インタフェース１２２５）をＲＲＨ１２３０に接続するためのインタフェースである。接続インタフェース１２２７は基地局装置１２２０（無線通信インタフェース１２２５）をＲＲＨ１２３０と接続する上記高速回線での通信のための通信モジュールであってもよい。
【００８０】
ＲＲＨ１２３０は、接続インタフェース１２３１と、無線通信インタフェース１２３３とを含む。
【００８１】
接続インタフェース１２３１はＲＲＨ１２３０（無線通信インタフェース１２３３）を基地局装置１２３０に接続するためのインタフェースである。接続インタフェース１２３１は上記高速回線での通信のための通信モジュールであってもよい。
【００８２】
無線通信インタフェース１２３３は、アンテナ１２１０を介して無線信号を送受信する。無線通信インタフェース１２３３は、一般、例えばＲＦ回路１２３４を含んでもよい。ＲＦ回路１２３４は、例えばミキサ、フィルタ及びアンプなどを含んでもよく、アンテナ１２１０を介して無線信号を送受信する。図１２に示すように、無線通信インタフェース１２３３は複数のＲＦ回路１２３４を含んでもよい。例えば、複数のＲＦ回路１２３４は複数のアンテナ素子をサポートすることができる。図１２は無線通信インタフェース１２３３が複数のＲＦ回路１２３４を含む例を示したが、無線通信インタフェース１２３３は単一のＲＦ回路１２３４を含んでもよい。
【００８３】
図１１と図１２に示すｅＮＢ１１００とｅＮＢ１２００とにおいて、図５で記述された通信手段はｅＮＢ１１００の無線通信インタフェース１１２５とアンテナ１１１０との組合せ、又はネットワークインタフェース１１２３により実現されてもよく、又は、ｅＮＢ１２００のＲＲＨ１２３０と基地局装置１２２０の無線通信インタフェース１２２５はそれらの接続インタフェースにより一緒に実現されてもよい。例えば標識グループ特定手段４０１／５０１、セカンダリ同期信号系列生成手段４０２／５０２、情報更新手段５０４は、コントローラ１１２１又はコントローラ１２２１により実現されてもよい。
【００８４】
以上で記述された本開示の実施例による、通信装置は、スマートフォンとしてとして実現されてもよい。例えば、スマートフォンはｗｉｆｉホットスポット機能を開いてｗｉｆｉアクセスデバイスとしてもよい。当該スマートフォンと他のスマートフォンとの間のｗｉｆｉ接続は免許不要スペクトルリソースを利用する。例えばスペクトルマネージャによりスマートフォンによるスペクトルの使用を直接に管理する。
【００８５】
図１３は、本開示の技術を応用できるスマートフォン１３００の例示的配置を例示するブロック図である。スマートフォン１３００、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２、一つ又は複数のアンテナスイッチ１３１５、一つ又は複数のアンテナ１３１６、バス１３１７、バッテリー１３１８、及び補助コントローラ１３１９を含む。
【００８６】
プロセッサ１３０１は例えばＣＰＵ又はＳｏＣ（Ｓｙｓｔｅｍ  ｏｎ  Ｃｈｉｐ）であってもよく、スマートフォン１３００のアプリケーションレイヤ及びその他のレイヤの機能を制御する。メモリ１３０２はＲＡＭとＲＯＭを含み、データと、プロセッサ１３０１により実行されるプログラムを記憶する。記憶装置１３０３は記憶媒体、例えば半導体メモリ又はハードディスクを含んでもよい。外部接続インタフェース１３０４は、外部装置（例えばメモリーカード又はＵＳＢ（Ｕｎｉｖｅｒｓａｌ  Ｓｅｒｉａｌ  Ｂｕｓ）デバイス）をスマートフォン１３００に接続するためのインタフェースである。
【００８７】
撮像装置１３０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ１３０７は例えば、測定センサ、ジャイロセンサ、地磁気センサ及び加速度センサなどのセンサ群を含んでもよい。マイクロフォン１３０８はスマートフォン１３００に入力された音声を音声信号に変換する。入力装置１３０９は例えば表示装置１３１０のスクリーン上のタッチを検出するように配置されるタッチセンサ、キーパッド、キーボード、ボタン又はスイッチを含み、ユーザーから入力された操作又は情報を受信する。表示装置１３１０はスクリーン（例えば液晶ディスプレイ（ＬＣＤ）、有機発光ダイオード（ＯＬＥＤ）ディスプレイ）を含み、スマートフォン１３００の出力画像を表示する。スピーカ１３１１はスマートフォン１３００から出力された音声信号を音声に変換する。
【００８８】
無線通信インタフェース１３１２はいずれかのセルラー通信方式（例えばＬＴＥ、ＬＴＥ−Ａｄｖａｎｃｅｄ）をサポートし、無線通信を実行する。無線通信インタフェース１３１２は、一般に、例えばＢＢプロセッサ１３１３とＲＦ回路１３１４とを含んでもよい。ＢＢプロセッサ１３１３は例えば符号化／復号化、変調／復調及び多重化／逆多重化を実行してもよく、無線通信のための様々な信号処理を実行する。一方、ＲＦ回路１３１４は例えばミキサ、フィルタ及びアンプを含んでもよく、アンテナ１３１６を介して無線信号を送受信する。無線通信インタフェース１３１２はＢＢプロセッサ１３１３とＲＦ回路１３１４を集積した一つのチップモジュールであってもよい。図１３に示すように、無線通信インタフェース１３１２は複数のＢＢプロセッサ１３１３と複数のＲＦ回路１３１４を含んでもよい。図１３は無線通信インタフェース１３１２が複数のＢＢプロセッサ１３１３と複数のＲＦ回路１３１４を含む例を示したが、無線通信インタフェース１３１２は単一のＢＢプロセッサ１３１３又は単一のＲＦ回路１３１４を含んでもよい。
【００８９】
また、セルラー通信方式を除き、無線通信インタフェース１３１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース１３１２は無線通信方式ごとのＢＢプロセッサ１３１３とＲＦ回路１３１４を含んでもよい。
【００９０】
アンテナスイッチ１３１５の各々は、無線通信インタフェース１３１２に含まれる複数の回路（例えば、異なる無線通信方式のための回路）の間でアンテナ１３１６の接続先を切り替える。
【００９１】
アンテナ１３１６の各々は単一の又は複数のアンテナ素子（例えば、ＭＩＭＯアンテナに含まれる複数のアンテナ素子）を含み、無線通信インタフェース１３１２による無線信号の送受信のために用いられる。図１３に示すように、スマートフォン１３００は複数のアンテナ１３１６を含んでもよい。図１３はスマートフォン１３００が複数のアンテナ１３１６を含む例を示したが、スマートフォン１３００は単一のアンテナ１３１６を含んでもよい。
【００９２】
また、スマートフォン１３００は無線通信方式ごとにアンテナ１３１６を含んでもよい。この場合、アンテナスイッチ１３１５はスマートフォン１３００の構成から省略されてもよい。
【００９３】
バス１３１７は、プロセッサ１３０１、メモリ１３０２、記憶装置１３０３、外部接続インタフェース１３０４、撮像装置１３０６、センサ１３０７、マイクロフォン１３０８、入力装置１３０９、表示装置１３１０、スピーカ１３１１、無線通信インタフェース１３１２及び補助コントローラ１３１９を互いに接続させる。バッテリー１３１８は、図中に破線で部分的に示した支線を介して図１３に示すスマートフォン１３００の各ブロックに電力を供給する。補助コントローラ１３１９は例えば、スリープモードにおいて、スマートフォン１３００の最低限必要な機能を動作させる。
【００９４】
図１３に示すスマートフォン１３００において、例えばサーチ手段１０１／２０１、同期手段１０２／２０２、検出手段２０３はプロセッサ１３０１により実現されてもよい。また、例えば通知手段２０４と通信手段７０１とは、無線通信インタフェース１３１２、又は無線通信インタフェース１３１２とアンテナ  １３１６との組合せにより実現されてもよい。
【００９５】
本文に使用する用語は、特定の実施例を記述するために、本発明を限定することを意図しないと理解される。上下文で別途に指す以外、本文に使用する単数の形の「一」と「当該」も、複数の形を含むことを意図する。さらに、用語「含む」は、本文で使用される際に、特徴、全体、ステップ、操作、手段及び／又はコンポーネントの存在を指すが、一つ又は複数の他の特徴、全体、ステップ、操作、手段及び／又はコンポーネントの存在又は添加を排除しない。
【００９６】
前の明細書において特定の実施例を参照して本発明を記述した。しかしながら、当業者であれば、請求項の範囲に限定される範囲から逸脱しないことを前提として、様々な修正と変更を行うことができると理解される。
【００９７】
本開示の技術によると、さらに、以下の実施例で実現される。
１．無線通信システムにおける端末側の装置であって、
サーチ待ちのターゲット周波数範囲に対応する同期信号系列を採用してターゲットセルをサーチするように配置されるサーチ手段と、
装置がターゲットセルに同期するように、サーチ手段に検出された同期信号に基づいて同期を行うように配置される同期手段とを含み、
ターゲット周波数範囲が第１の周波数範囲に属する場合に、サーチ手段は、同期信号系列集合の真部分集合である第１の部分集合における同期信号系列を採用してターゲットセルをサーチする。
２．第１の周波数範囲は無線通信システムの免許不要帯域範囲であり、ターゲットセルは免許不要スペクトルアクセスセルである方案１に記載の端末側の装置。
３．同期信号系列集合は、装置が免許帯域でのキャリアにより通信する際に使用される同期信号系列集合である方案２に記載の端末側の装置。
４．同期信号系列はセカンダリ同期信号系列であり、サーチ手段は、ターゲット周波数範囲に対応するセカンダリ同期信号系列を採用してターゲットセルのセカンダリ同期信号を復号するように配置される方案１〜３のいずれか一項に記載の端末側の装置。
５．免許帯域での第１のセルにより、ターゲットセルをサーチするコマンド、及び第１の部分集合の指示情報を取得するように配置される通信インタフェースをさらに含む方案１〜４のいずれか一項に記載の端末側の装置。
６．通信インタフェースは、第１のセルにより、コマンドと指示情報とを含むシグナリングを受信する方案５に記載の端末側の装置。
７．装置は、装置がターゲットセルにアクセス後に、ターゲットセルにより、更新された同期信号系列に関する指示を取得するように配置される通信インタフェースをさらに含む方案１〜４のいずれか一項に記載の端末側の装置。
８．第１の部分集合の使用によって、装置により第１の周波数範囲で受信された参照信号の干渉が過大になったかどうかを検出するように配置される検出手段と、
干渉が過大になったことが検出された場合に、検出結果をターゲットセルの基地局に通知するように配置される通知手段とをさらに含む方案１〜７のいずれか一項に記載の端末側の装置。
９．同期信号系列集合は、第１の周波数範囲のセルサーチに用いられる複数の真部分集合を含み、サーチ手段は、ターゲットセルの基地局が、干渉が過大になった通知に応答して、複数の真部分集合から再選択された、第１の部分集合と異なる第２の部分集合の指示、及びターゲットセルの基地局から再送信された同期信号を検出し、
サーチ手段は、指示に応じて、第２の部分集合を使用して再送信された同期信号を復号する方案８に記載の端末側の装置。
１０．装置がロング・ターム・エボリューションによる支援での免許不要スペクトルアクセスを実行する場合に、サーチ手段は、まず、装置が先に滞留したセルのセカンダリ同期信号を同期信号系列として使用してサーチを行う方案１〜９のいずれか一項に記載の端末側の装置。
１１．装置がセル切り替えを行う必要がある場合に、サーチ手段は、基地局からの無線リソース制御構成情報に応じて、第１の部分集合に関する指示を取得する方案１〜９のいずれか一項に記載の端末側の装置。
１２．同期信号系列集合は、第１の周波数範囲のセルサーチに用いられる複数の真部分集合を含み、第１の部分集合の番号は、無線リソース制御構成情報に含まれる方案１１に記載の端末側の装置。
１３．第１の部分集合における全ての系列を使用してもターゲットセルがサーチできない場合に、サーチ手段は、第１の周波数範囲のセルサーチに用いられる複数の真部分集合の一つであるとともに第１の部分集合と異なる第３の部分集合における系列を使用してサーチを実行する方案１〜１２のいずれか一項に記載の端末側の装置。
１４．端末側の装置により使用される無線通信方法であって、
サーチ待ちのターゲット周波数範囲に対応する同期信号系列を採用してターゲットセルをサーチし、
装置がターゲットセルに同期するように、サーチされた同期信号に基づいて同期を行うことを含み、
ターゲット周波数範囲が第１の周波数範囲に属する場合に、同期信号系列集合の真部分集合である第１の部分集合における同期信号系列を採用してターゲットセルをサーチする。
１５．無線通信システムにおける基地局側の装置であって、
ターゲットセルの物理層セル標識グループを特定するように配置され、物理層セル標識グループがターゲットセルの周波数範囲に関する標識グループ特定手段と、
物理層セル標識グループに基づいて、ターゲットセルのセカンダリ同期信号用のセカンダリ同期信号系列を生成するように配置されるセカンダリ同期信号系列生成手段とを含み、
ターゲットセルの周波数範囲が第１の周波数範囲に属する場合に、物理層セル標識グループは、物理層セル標識グループ集合からの第１の部分集合であり、第１の部分集合は物理層セル標識グループ集合における真部分集合である。
１６．第１の周波数範囲は無線通信システムの免許不要帯域範囲であり、ターゲットセルは免許不要スペクトルアクセスセルである方案１５に記載の基地局側の装置。
１７．ターゲットセルに対応する免許不要帯域上でセカンダリ同期信号を送信するように配置される通信手段をさらに含む方案１６に記載の基地局側の装置。
１８．端末からの、第１の部分集合の使用によって端末の受信した参照信号の干渉が過大になったことに関する通知を受信するように配置される通信手段をさらに含み、
通知の受信に応答して、標識グループ特定手段は、物理層セル標識グループ集合における第２の部分集合を物理層セル標識グループとして再特定し、第２の部分集合は物理層セル標識グループの真部分集合であるとともに第１の部分集合と異なり、セカンダリ同期信号系列生成手段は、第２の部分集合に基づいてセカンダリ同期信号系列を再生成する方案１６に記載の基地局側の装置。
１９．ターゲットセルにより送信しようとする、第２の部分集合に関する指示情報を含むシステムブロードキャスト情報を生成するように配置される情報更新手段をさらに含む方案１８に記載の基地局側の装置。
２０．免許帯域上で送信しようとする、第２の部分集合に関する指示情報を含むシステムブロードキャスト情報を生成するように配置される情報更新手段をさらに含む方案１８に記載の基地局側の装置。
２１．通信手段は、さらに、第２の部分集合の指示情報を、無線通信システムにおける他の基地局側装置に通知するように配置される方案１８〜２０のいずれか一項に記載の基地局側の装置。
２２．基地局側の装置は、ターゲットセルの隣接セルの物理層セル標識グループ部分集合を取得するとともに、本セル端末側装置に対して隣接セルに係る無線リソース管理を行う場合に、無線リソース制御シグナリングを生成して隣接セル標識グループ部分集合を端末側装置に通知する方案１５〜２１のいずれか一項に記載の基地局側の装置。
２３．通信手段は、さらに、通知の受信に応答して、Ｓ１インタフェースによりコアネットワークへ干渉が過大になったイベントを報告し、コアネットワークから更新されたセル標識グループに関する情報を取得するように配置される方案１８に記載の基地局側の装置。
２４．基地局側の装置に使用される無線通信方法であって、
ターゲットセルの周波数範囲に関する、ターゲットセルの物理層セル標識グループを特定し、
物理層セル標識グループに基づいて、ターゲットセルのセカンダリ同期信号用のセカンダリ同期信号系列を生成することを含み、
ターゲットセルの周波数範囲が第１の周波数範囲に属する場合に、物理層セル標識グループは、物理層セル標識グループ集合のみからの第１の部分集合であり、第１の部分集合は物理層セル標識グループ集合における真部分集合である。
２５．第１のキャリア上で基地局と通信可能な無線端末装置であって、
第１のキャリアと異なる第２のキャリア上で基地局から送信された同期信号を受信するように配置される通信手段と、
同期信号におけるセカンダリ同期信号と、セカンダリ同期信号系列集合の真部分集合である第１の部分集合における系列とをマッチングすることでセカンダリ同期信号を特定するように配置される同期手段とを含む無線端末装置。
２６．第１のキャリア上で無線通信端末と通信可能な無線通信システムにおける基地局であって、基地局は、
第１のキャリアと異なる第２のキャリア上で、セカンダリ同期信号を含む同期信号を送信するように配置される通信手段を含み、
セカンダリ同期信号は、セカンダリ同期信号系列集合の第１の部分集合から選択するものであり、第１の部分集合はセカンダリ同期信号系列集合の真部分集合である。
【図１】
0006673364.tif 000003
【図２】
0006673364.tif 000004
【図３】
0006673364.tif 000005
【図４】
0006673364.tif 000006
【図５】
0006673364.tif 000007
【図６】
0006673364.tif 000008
【図７】
0006673364.tif 000009
【図８】
0006673364.tif 000010
【図９】
0006673364.tif 000011
【図１０】
0006673364.tif 000012
【図１１】
0006673364.tif 000013
【図１２】
0006673364.tif 000014
【図１３】
0006673364.tif 000015